(57)【要約】【課題】  上部テーブル付卓上丸鋸を用いて被加工材を切断作業するときの作業性の向上を図る上で有効な技術を提供することを目的とする。【解決手段】  被加工材Ｗを載置可能なテーブル１２７を有するベース１０３と、ベースの上方において、当該ベースに近接した第１の位置と当該第１の位置よりも当該ベースから離間した第２の位置との間で、上下方向に揺動可能に当該ベースに連接された丸鋸本体１０１とを備え、丸鋸本体は、被加工材を載置可能な上部テーブル１１３と、当該丸鋸本体の第２の位置から第１の位置への移動によりテーブルに載置された被加工材を下縁部１０７ａで切断作業するとともに、上部テーブルから所定量だけ突出した上縁部１０７ｂで当該上部テーブルに載置された被加工材を切断作業するブレード１０７と、を有する上部テーブル付卓上丸鋸１００であって、ブレードの下縁部による切断作業部位を照射することが可能な照射可能領域に照明具１３１を配置したことを特徴とする上部テーブル付卓上丸鋸。【選択図】  図３
2005125550.tif 000002
【特許請求の範囲】
【請求項１】
被加工材を載置可能なテーブルを有するベースと、
前記ベースの上方において、当該ベースに近接した第１の位置と当該第１の位置よりも当該ベースから離間した第２の位置との間で、上下方向に揺動可能に当該ベースに連接された丸鋸本体とを備え、
前記丸鋸本体は、被加工材を載置可能な上部テーブルと、当該丸鋸本体の前記第２の位置から前記第１の位置への移動により前記テーブルに載置された被加工材を下縁部で切断作業するとともに、前記上部テーブルから所定量だけ突出した上縁部で当該上部テーブルに載置された被加工材を切断作業するブレードとを有する上部テーブル付卓上丸鋸であって、
前記ブレードの下縁部による切断作業部位を照射することが可能な照射可能領域に照明具を配置したことを特徴とする上部テーブル付卓上丸鋸。
【請求項２】
請求項１に記載の上部テーブル付卓上丸鋸であって、
前記照明具の配置領域は、前記上部テーブルよりも下方の領域であることを特徴とする上部テーブル付卓上丸鋸。
【請求項３】
請求項１または２に記載の上部テーブル付卓上丸鋸であって、
前記照明具は、光源を収容するライトケースに当該光源の点灯、消灯を操作するライトスイッチが組み付けられたアッセンブリーとして構成されるとともに前記丸鋸本体に形成されたハンドグリップに装着されていることを特徴とする上部テーブル付卓上丸鋸。
【発明の詳細な説明】
【技術分野】
【０００１】
本発明は、回転駆動されるブレードの下縁部を用いてテーブル上に載置された被加工材を切断する、いわゆる卓上丸鋸としての使用形態（以下、卓上丸鋸モードという）と、ブレードの上縁部を用いて前記テーブルの上方に位置する上部テーブル上に載置された被加工材を切断する、いわゆるテーブルソーとしての使用形態（以下、テーブルソーモードという）とに使い分けることができる上部テーブル付卓上丸鋸に関する。
【背景技術】
【０００２】
独国特許公報第２９，０８２１１号（特許文献１）には、上部テーブル付卓上丸鋸の一例が開示されている。特許文献１に開示された上部テーブル付卓上丸鋸では、被加工材を載置可能なテーブルを有するベースの上方に、上部テーブルとブレード（ノコ刃）を備えた丸鋸本体が配置されている。丸鋸本体は、ベースに対して上下方向に揺動自在に連接されている。使用者は、丸鋸本体を下方へ揺動させることにより、テーブル上に置かれた被加工材をブレードの下縁部を用いて切断する、いわゆる卓上丸鋸モードでの切断作業を行うことができる。またブレードの上縁部は、上部テーブルのテーブル面から所定高さで突出されている。従って、使用者は、上部テーブルに被加工材を載せて滑らせることにより、ブレードの上縁部を用いて被加工材を切断する、いわゆるテーブルソーモードでの切断作業を行うことができる。
【０００３】
上述した上部テーブル付卓上丸鋸の場合、丸鋸本体に上部テーブルが備えられた構成である。この上部テーブルは、相当な平面広さを有し、当該上部テーブルの下方の領域への光の進入を遮断する。このため、例えば室内の光源が上方にある（天井に設置された電灯等）場所や薄暗い場所において、卓上丸鋸モードでの被加工材の切断作業時、特に墨線に基づく切断作業を行うとき、当該墨線部分が見づらく当該切断作業に先立っての墨線あわせ作業が面倒であり、作業性が低下する。
【特許文献１】独国特許公報第２９，０８２１１号
【発明の開示】
【発明が解決しようとする課題】
【０００４】
本発明は、かかる点に鑑みてなされたものであり、上部テーブル付卓上丸鋸を用いて被加工材を切断作業するときの作業性の向上を図る上で有効な技術を提供することを目的とする。
【課題を解決するための手段】
【０００５】
上記課題を達成するため、特許請求の範囲の各請求項記載の発明が構成される。
請求項１に記載の発明によれば、被加工材を載置可能なテーブルを有するベースと、ベースの上方において、当該ベースに近接した第１の位置と当該第１の位置よりも当該ベースから離間した第２の位置との間で、上下方向に揺動可能に当該ベースに連接された丸鋸本体とを備えている。また、丸鋸本体は、当該丸鋸本体が第１の位置に置かれた場合に被加工材を載置可能な上部テーブルと、当該丸鋸本体の第２の位置から第１の位置への移動によりテーブルに載置された被加工材を下縁部で切断作業するとともに上部テーブルから所定量だけ突出した上縁部で当該上部テーブルに載置された被加工材を切断作業するブレードとを有する。ここで、第１の位置は、典型的にはブレードの上縁部による被加工材の切断作業を行う位置およびブレードの下縁部による切断作業の終了位置に対応し、第２の位置は、典型的には被加工材の切断作業に備える待機位置あるいはニュートラルポジションに対応する。
【０００６】
従って、請求項１に記載の発明では、ベース側のテーブル上に被加工材を載置後、丸鋸本体を第２の位置から第１の位置へ揺動させることによって、回転するブレードの下縁部を用いて被加工材を切断する、いわゆる、卓上丸鋸モードでの切断作業を行うことができる。
また丸鋸本体をベースに近接した第１の位置へ揺動させた状態において、上部テーブルの上面に被加工材を載置後、当該上部テーブルの上面上を滑らすことにより、ブレードの上縁部を用いて被加工材を切断する、いわゆるテーブルソーモードでの切断作業を行うことができる。テーブルソーモードでの切断作業は、例えばロック装置により丸鋸本体を第１の位置に固定した状態で行う。
【０００７】
請求項１に記載の発明では、ブレードの下縁部による切断作業部位を照射することが可能な照射可能領域に照明具を配置した構成とされる。なお本発明における「照射可能領域」の意義としては、照明具から照射される光によってブレードの下縁部による切断作業部位を照らすことが可能な位置あるいは向きに照射具を配置することであり、典型的には、上部テーブルの下方領域がこれに該当するが、当該下方領域を多少外れた領域であっても好適に包含するものである。また照明具は、少なくとも卓上丸鋸モードでの切断作業時において、ブレードの下縁部を照射することが可能な領域に存在すればよく、テーブルソーモードでの切断作業時あるいは実際に切断作業を行っていない状態では、不要となる。従って、「照明具の配置」の態様としては、当該照明具を固定状に配置する態様のみならず、当該照明具の配置位置を所定の位置から他の位置へと位置替え可能とする態様、すなわち、卓上丸鋸モードでの切断作業時には、ブレードの下縁部による切断作業部位を照射することが可能な位置へ、照明具を用いる必要のない場合には、例えばテーブルソーモードでの切断作業の邪魔にならない位置へと、位置替え可能とする態様をも好適に包含する。
本発明によれば、例えば室内での被加工材の切断作業時において、上部テーブルの陰になる領域に存在するブレードの下縁部による切断作業部位を照明具により照らすことが可能となる。その結果、例えばベース側のテーブルを用いての、いわゆる卓上丸鋸モードでの切断作業およびそれに先行して行われる墨線合わせ作業を明るい状態で行うことができる。これにより、切断作業の作業性を向上する上で有効な上部テーブル付卓上丸鋸が提供される。
【０００８】
（請求項２に記載の発明）
請求項２に記載の発明によれば、請求項１に記載の上部テーブル付卓上丸鋸における照明具の配置領域は、上部テーブルの下方の領域である構成とされる。なお「下方の領域」とは、テーブル下面および当該テーブル下面よりも下側の領域を含む概念である。従って、上部テーブルの下面に対し照明具を直接的に装着する態様、あるいは丸鋸本体の一部にブラケットを設け、あるいはベース上に固定状のあるいはフレキシブルなスタンドを立設し、それらブラケットやスタンドを介して照明具を上部テーブルの下面に潜り込むように配置する態様を包含する。請求項２に記載の発明によれば、照明具が上部テーブルの下方の領域に配置される構成としたことで、テーブルソーモードでの切断作業を邪魔することなく、卓上丸鋸モードでの切断作業時におけるブレードの下縁部による切断作業部位を照らすことができる。また照明具は、上部テーブルの下面の領域に設置すれば、当該照明具は、上部テーブルによって上方から覆われることになり、例えば落下物等による外力から保護されるとともに、上部テーブル付卓上丸鋸による切断作業を支障することがない。
【０００９】
（請求項３に記載の発明）
請求項３に記載の発明によれば、請求項１または２に記載の上部テーブル付卓上丸鋸における照明具は、光源を収容するライトケースに当該光源の点灯、消灯を操作するライトスイッチが組み付けられたアッセンブリーとして構成されるとともに丸鋸本体に形成されたハンドグリップに装着された構成とされる。「光源」としては、ＬＥＤライト、白熱電球、蛍光灯等を適用することができる。このように請求項３に記載の発明によれば、照明具をスイッチまでも含めたアッセンブリー構造とすることにより、取り扱い性が向上するとともに、丸鋸本体に対する装着性を向上することができる。またハンドグリップに装着することでライトスイッチの操作性が確保される。
【発明の効果】
【００１０】
本発明によれば、上部テーブル付卓上丸鋸において、被加工材を切断作業するときの作業性の向上を図る上で有効な技術が提供されることとなった。
【発明を実施するための最良の形態】
【００１１】
（第１の実施形態）
以下、本発明の第１の実施形態につき、図１〜図５を参照しつつ、詳細に説明する。
図１は本実施の形態に係る上部テーブル付卓上丸鋸１００を示す平面図であり、図２は上部テーブル付卓上丸鋸１００を示す正面図である。図３〜図５はそれぞれ上部テーブル付卓上丸鋸１００を示す側面図であり、図３には丸鋸本体が上死点位置（上方位置）に保持された状態が示され、図５には丸鋸本体が下死点位置（下方位置）に移動あるいは保持された状態が示され、図４には丸鋸本体が中間位置へ移動された状態（墨線合わせ状態）が示されている。図６は照明具を示す断面図である。
【００１２】
図１〜図３に示すように、上部テーブル付卓上丸鋸１００は、丸鋸本体１０１、ベース１０３、および丸鋸本体１０１とベース１０３とを連接する本体支持部１０５を主体にして構成されている。丸鋸本体１０１は、電動モータ１０２、当該電動モータ１０２によって回転駆動されるブレード（ノコ刃）１０７、当該ブレード１０７を覆うブレードケース１０９、セーフティカバー１１１、上部テーブル１１３、さらにハンドグリップ１１５やそのハンドグリップ１１５に設けられた電動モータ１０２の駆動、停止を操作するモータスイッチ１１７等を有する。
【００１３】
丸鋸本体１０１は、ベース１０３の上方に配置されるとともに、本体支持部１０５の傾動部１２３に揺動中心１０１ａを中心として上下方向に揺動可能に取付けられ、ベース１０３から離間した上死点位置（図３参照）と、ベース１０３に近接した下死点位置（図５参照）との間で上下方向に揺動可能とされる。丸鋸本体１０１は、下死点位置へ揺動された状態では、必要に応じて従来公知のロック手段（図示省略）によって当該下死点位置に固定（ロック）することが可能な構成とされ、当該ロック手段によるロック解除時には、例えばバネ（図示省略）による付勢力で上死点位置へと揺動されるとともに、当該上死点位置に保持される構成とされる。上記の下死点位置は、ブレード１０７の下縁部１０７ａによる被加工材Wの切断を行なう位置、すなわち切断位置およびブレード１０７の下縁部１０７ａによる切断作業の終了位置に対応し、これに対し上死点位置は、被加工材Wの切断作業に備える位置、すなわち待機位置あるいはニュートラルポジションに対応している。上記の下死点位置が本発明における「第１の位置」に対応し、上死点位置が本発明における「第２の位置」に対応する。
【００１４】
また丸鋸本体１０１は、図３に示された本体支持部１０５の傾動部１２３を介して左右方向（図３における紙面に直交する方向）に傾動自在とされ、止着ネジ１２５により所定の傾動角にて固定されるように構成される。これにより、ブレード１０７の下縁部１０７ａによる被加工材Wの垂直切りのみならず、傾斜切りが可能とされる。なお本体支持部１０５は、後述のターンテーブル１２７に一体的に突設された支持部１２１と、その支持部１２１に傾動可能に取り付けられる傾動部１２３とによって構成される。
【００１５】
ベース１０３は、本体支持部１０５を介して丸鋸本体１０１に連接されるとともに、上部にターンテーブル１２７を有する。ターンテーブル１２７の上面側には切断すべき被加工材Wが載置される。上記のターンテーブル１１１が本発明でいうテーブルに対応する。ターンテーブル１２７は、被加工材をブレード１０７による切断線に対して直角に突き当てるためのフェンス状の位置決め部材１２９を有するとともに、ベース１０３に対して適宜水平面内で回転可能に支持されており、ターンレバー１１９を回動操作することで水平回転できるように構成される。これにより、ブレード１０７の下縁部１０７ａによる前後方向（水平方向）に傾斜した角度切りが可能となる。ここで、「前後」とは、ブレード１０７を挟んで、丸鋸本体１０１の揺動中心１０１ａ側（図３の左側）を後側といい、その反対側（作業者による操作側）を前側という。
【００１６】
ブレード１０７の下縁部１０７ａを覆うセーフティカバー１１１は、前後に分割された前側セーフティカバー１１１ａと後側セーフティカバー１１１ｂとから構成されている。そして前側セーフティカバー１１１ａは、図３〜図５に示す如く、丸鋸本体１０１を上死点位置から下死点位置へ向って揺動させたとき、リンクプレート１１４を介してブレード１０７の下縁部１０７ａを露出させるように上方へ回動され、当該ブレード１０９の下縁部１０９ａによる被加工材の切断作業を可能とする構成とされる。また後側セーフティカバー１１１ｂは、丸鋸本体１０１が上死点位置にあるときは、図示省略のストッパーによってブレード１０７の下縁部１０７ａを覆う位置に保持されており、丸鋸本体１０１の下方への揺動時には、ターンテーブル１２７上の被加工材Ｗ、あるいは被加工材Ｗが存在しないときはターンテーブル１２７に接触することで、上方（ブレード１０７の回転中心側）へ回動されてブレード１０７の下縁部１０７ａを露出（図５参照）する構成とされる。なお後側セーフティカバー１１１ｂは、ブレード１０７を左右両側から挟むように配置される２枚のプレートを平行に配置させたコの字型の一体形状になっている。
【００１７】
また、丸鋸本体１０１には、上面１１３ａを被加工材の載置面とする上部テーブル１１３が備えられている。上部テーブル１１３には、スリット（図示省略）が形成され、そのスリットを通してブレード１０７の上縁部１０７ｂがテーブル上面１１３ａ側へ所定高さで突出されている。テーブル上面１１３ａに突出されたブレード１０７の上縁部１０７ｂは、上部カバー１１６によって覆われる（図３参照）。上部カバー１１６は、後部側において、回動中心１１６ａを中心にして上下方向に回動可能とされるとともに、上部テーブル１１３の上面に当接した状態でブレード１０７の上縁部１０７ｂを覆っている。
【００１８】
したがって、図５に示すように、丸鋸本体１０１を下死点位置へ揺動させるとともに当該下死点位置に図示省略のロック装置にて固定した状態において、その前側上面（図５における右上部）に被加工材を載せて後方へ滑らせることにより、ブレード１０７の上縁部１０７ｂを用いて被加工材を切断することが可能とされる。なお、上部カバー１１６は、切断加工される被加工材の後方への送り込みに伴い当該被加工材によって上方へ押し退けられる。
【００１９】
このように、本実施の形態に係る上部テーブル付卓上丸鋸１００によれば、ブレード１０７の下縁部１０７ａを用いてターンテーブル１２７上に載置された被加工材Ｗを切断する、いわゆる卓上丸鋸モードでの切断作業と、ブレード１０７の上縁部１０７ｂを用いて上部テーブル１１３上に載置された被加工材を切断する、いわゆるテーブルソーモードでの切断作業が可能とされる。
【００２０】
上述のように構成された上部テーブル付卓上丸鋸１００において、上部テーブル１１３は、被加工材の載置面を確保すべく相当な平面広さを有している（図１の二点鎖線参照）。このため、上部テーブル１１３の陰になる領域、すなわち上部テーブル１１３の下方領域に位置するターンテーブル１２７の上面は、当該上部テーブル１１３によって光の進入が遮断される傾向にあり、ターンテーブル１２７を用いた卓上丸鋸モードで切断作業を行うとき、特に被加工材に印された墨線に基づく切断作業を行うときに、当該墨線部分が見づらいことがあり得る。
このため、本実施の形態では、ブレード１０７の下縁部１０７ａによる卓上丸鋸モードでの切断作業時における墨線合わせ等の作業を明るい環境で行い得るようにするべく、上部テーブル１１３の下方領域（テーブル上方に光源を設定したときの当該上部テーブル１１３の投影面内）に照明具１３１を備えた構成とされる。
【００２１】
照明具１３１は、図６に示すように、ライトケース１３３内に収容された光源としての複数のＬＥＤ（発光ダイオード）ライト１３５を主体に構成されている。ライトケース１３３は、ＬＥＤライト１３５が一列（複列でも可）に装着されるライト装着部を備えた横長のケース本体１３３ａと、当該ケース本体１３３ａに固定手段としての止めネジ（タッピングスクリュー）１３７によって数箇所を着脱自在に固定されるカバー部材（レンズ）１３３ｂとからなり、ＬＥＤライト１３５の光が当該カバー部材１３３ｂを通して照射される。従って、当該ケース本体１３３ａとカバー部材１３３ｂのうち、少なくともカバー部材１３３ｂについては、例えば樹脂あるいはガラス等のような透光性材料によって形成される。
【００２２】
照明具１３１は、図３に示すように、ＬＥＤライト１３５の配列方向が前後方向（ブレード１０７の側面に沿う方向）となるように概ね平行に配置された状態で取付けられ、ターンテーブル１２７の上面、特にブレード１０７の一方の側面（左側面）の下縁部１０７ａを含むその周辺領域を重点的に照射するよう設定される。ブレード１０７の下縁部１０７ａを含むその周辺領域が、本発明における「ブレードの下縁部による切断作業部位」に対応する。本実施の形態では、照明具１３１は、上部テーブル１１３の下面におけるブレード１０７を挟んで電動モータ１０２とは反対側の、作業者から見て上部テーブル１１３の左側であってかつ前後方向ほぼ中央部に配置（図１参照）されるとともに、当該上部テーブル１１３下面の複数箇所に下向きに突設されたボスに固定手段としての止めネジ（タッピングスクリュー）１３９によって着脱自在に固定される。照明具１３１による照射領域Ｓが図２、図３および図４に示されている。
ハンドグリップ１１５には、照明具１３１のＬＥＤライト１３５の点灯あるいは消灯を操作するライトスイッチ１４１が配置され、当該ライトスイッチ１４１とＬＥＤライト１３５とは、電気配線１４３によって電気的に接続されている。なおライトスイッチ１４１は、操作性を考慮してモータスイッチ１１７に近接して横並びに設けてある。
【００２３】
次に上部テーブル付卓上丸鋸１００の作用および使用方法を説明する。卓上丸鋸モードで切断作業を行うときは、丸鋸本体１０１を図３に示す上死点位置へ移動させるとともにターンテーブル１２７に被加工材Ｗを載置して位置決めする。その後、ブレード１０７を回転駆動するとともに丸鋸本体１０１を図５に示す下死点位置へ揺動させることにより、被加工材Ｗをブレード１０７の下縁部１０７ａによって切断することができる。
一方、テーブルソーモードで切断作業するときは、丸鋸本体１０１を図５に示す下死点位置へ移動するとともに当該下死点位置にロック装置にて固定する。丸鋸本体１０１の下死点位置への揺動により、上部テーブル１１３のテーブル上面１１３ａが概ね水平状態となる。この状態で上部テーブル１１３に被加工材を載せて滑らせることにより、ブレード１０７の上縁部１０７ｂによって被加工材を切断することができる。
【００２４】
本実施の形態においては、上部テーブル１１３の下面に照明具１３１を設けたことにより、ターンテーブル１２７の上面、特にブレード１０７の下縁部１０７ａおよびその周辺を明るく照らすことが可能となった。このため、卓上丸鋸モードでの切断作業時における墨線合わせ作業が楽になる。すなわち、墨線合わせは、通常、図４に示すように、ブレード１０７の回転を停止した状態において、丸鋸本体１０１を上死点位置から下方へ揺動させ、ブレード１０７の下縁部１０７ａを被加工材Ｗの上面に接近させた状態で、被加工材Ｗの位置を調整することで行うが、このような墨線合わせ作業を明るい環境下で行うことができる。このため、当該墨線合わせ作業を的確かつ迅速に行うことが可能となり、作業性が向上する。
【００２５】
本実施の形態では、照明具１３１を上部テーブル１１３の下面に近接して配置されており、卓上丸鋸モードおよびテーブルソーモードのいずれのモードで切断作業を行った場合でも、当該切断作業を支障するものではない。また落下物等の外力に対しては上面テーブル１１３による防御機能により、照明具１３１を保護することができる。また本実施の形態では、ＬＥＤライト１３５を前後方向、すなわちブレード１０７の側面方向に沿う方向に横並びに配置したので、少数のＬＥＤライト１３５でブレード１０７の下縁部１０７ａを合理的に照射することが可能となる。
【００２６】
（第２の実施形態）
次に本発明の第２の実施形態を図１、図２および図７を参照して説明する。第２の実施形態においては、照明具１３１は、図１および図２に二点鎖線で示すように、ＬＥＤライト１３５を収容するライトケース１３３に、当該ＬＥＤライト１３５の点灯、消灯を操作するライトスイッチ１４１を組み込むことによって一体化されたアッセンブリーとして構成されている。図７にはこのアッセンブリー化された照明具１３１が示されている。
【００２７】
図７に示すように、ライトケース１３３は、ＬＥＤライト１３５を収容するライト収容部１３３ｃと、ライトスイッチ１４１を収容するスイッチ収容部１３３ｄとからなり、外観形状が概ねＬ字形に形成されている。そしてライトケース１３３は、ライトスイッチ１４１が前述した第１の実施形態で説明した位置、すなわちモータスイッチ１１７に近接した位置となるように、ハンドグリップ１１５に対しスイッチ収容部１３３ｄがネジ等の固定手段を用いて着脱自在に取付けられる。なお図１および図２に示されるように、ライトケース１３３は、その全体が上部テーブル１１３の投影面内に位置しており、実質的に上部テーブル１１３の下方領域に配置されることになる。ライトケース１３３のライト収容部１３３ｃは、ハンドグリップ１１５に対する取付部からブレードケース１０９の前面を横切って電動モータ１０２の配置側とは反対側に延出しており、ブレード１０７の一方の側面（左側面）の下縁部１０７ａを照射する構成とされる。
【００２８】
上記のように、第２の実施形態では、照明具１３１を、ライトスイッチ１４１までも含めたアッセンブリーとして構成したものであり、かかる構成によれば、ライトスイッチ１４１をハンドグリップ１１５に配置することによる、ライトスイッチ１４１の操作性の確保を図りつつ、照明具１３１のハンドグリップ１１５、したがって丸鋸本体１０１に対する装着性を向上することができる。
【００２９】
なお上述した実施形態では、照明具１３１の光源としてＬＥＤライト１３５を用いたが、これに限らず白熱電球、蛍光灯等、他の光源を用いてもよい。
また照明具１３１を上部テーブル１１３の下方領域に配置するとしたが、当該下方領域から多少外れた領域であっても、ブレード１０７の下縁部１０７ａを照らすことが可能な位置あるいは向きに照射具が配置されていれば足りる。このようなブレード１０７の下縁部１０７ａを照らすことが可能な領域が本発明における「照射可能領域」に対応する。
また上述した実施形態では、照明具１３１を丸鋸本体１０１側に設け、当該丸鋸本体１０１と一体的に移動する構成であるが、ターンテーブル１２７を含めたベース１０３側に、例えばスタンドを介して取付ける構成とすることも可能である。スタンドを介して取付ける構成を採用した場合、スタンドをフレキシブルな構成として照明具１３１の配置位置を位置替え可能となし、必要に応じて照射可能位置へ移動させて照射し、不要なときは作業の邪魔にならない位置へ移動して退避させる構成としてもよい。また照明具１３１を丸鋸本体１０１側あるいはベース１０３側の所定位置に着脱自在に取付ける構成となし、卓上丸鋸モードでの切断作業時には、照明具１３１を当該所定位置に取付け、照明具１３１を用いない場合には、照明具１３１を当該所定位置から取り外すようにしてもよい。
【図面の簡単な説明】
【００３０】
【図１】本発明の実施形態に係る上部テーブル付卓上丸鋸を示す平面図である。
【図２】同じく上部テーブル付卓上丸鋸を示す平面図である。
【図３】同じく上部テーブル付卓上丸鋸を示す側面図であり、丸鋸本体が上死点位置に置かれた場合を示す。
【図４】同じく上部テーブル付卓上丸鋸を示す側面図であり、丸鋸本体が中間位置（墨線合わせ態様）に置かれた場合を示す。
【図５】同じく上部テーブル付卓上丸鋸を示す側面図であり、丸鋸本体が下死点位置に置かれた場合を示す。
【図６】照明具を示す断面図である。
【図７】第２の実施形態に係る照明具を説明する簡略図である。
【符号の説明】
【００３１】
１００  上部テーブル付卓上丸鋸
１０１  丸鋸本体
１０３  ベース
１０５  本体支持部
１０７  ブレード
１０７ａ  下縁部
１０７ｂ  上縁部
１０９  ブレードケース
１１１  セーフティカバー
１１３  上部テーブル
１１４  リンクプレート
１１５  ハンドグリップ
１１６  上部カバー
１１７  モータスイッチ
１１９  ターンレバー
１２１  支持部
１２３  傾動部
１２５  止着ネジ
１２７  ターンテーブル
１２９  位置決め部材
１３１  照明具
１３３  ライトケース
１３３ａ  ケース本体
１３３ｂ  カバー部材
１３５  ＬＥＤライト
１３７  止めネジ
１３９  止めネジ
１４１  ライトスイッチ
１４３  電気配線
【図１】
2005125550.tif 000003
【図２】
2005125550.tif 000004
【図３】
2005125550.tif 000005
【図４】
2005125550.tif 000006
【図５】
2005125550.tif 000007
【図６】
2005125550.tif 000008
【図７】
2005125550.tif 000009